(57)【特許請求の範囲】
【請求項１】
左右の側枠を有するフレームにスプールが回転可能に支持され、前記側枠に外側板が取り付けられてなるリール本体を備えた魚釣用リールであって、
前記側枠と反ハンドル側の前記外側板とは、
前記リール本体の竿延在方向における前記スプールのスプール軸の軸心から後側となる後部同士が同一平面上で突き合わされているとともに、
前記リール本体の竿延在方向における前記スプール軸の軸心の前方において当該リール本体の鉛直方向の上側となる前側上部同士が、前記同一平面よりも反ハンドル側となる位置で突き合わされていることを特徴とする魚釣用リール。
【請求項２】
前記側枠の前側上部には、反ハンドル側に向けて湾曲状に膨出した膨出部が形成され、反ハンドル側の前記外側板には、前記膨出部に対応する凹状部が形成されており、
前記膨出部と前記凹状部とが相互に当接されることで、前記側枠の前側上部同士が前記同一平面よりも反ハンドル側となる位置で突き合わされており、
前記スプール軸に沿う方向において、
前記膨出部の膨出幅は、前記スプール軸の軸心から後側における前記側枠の幅よりも幅広とされていることを特徴とする請求項１に記載の魚釣用リール。
【請求項３】
前記側枠の前側上部には、サムレストが一体的に設けられていることを特徴とする請求項１または請求項２に記載の魚釣用リール。
【請求項４】
前記側枠の前側上部には、サムレストが一体的に設けられており、前記サムレストから前記膨出部にわたって曲線状に形成されていることを特徴とする請求項２に記載の魚釣用リール。
【請求項５】
前記膨出部の下方には、前記リール本体の構成要素を配置可能なスペースが形成されていることを特徴とする請求項２から請求項４のいずれか１項に記載の魚釣用リール。
【請求項６】
前記膨出部のハンドル側となる前記側枠の側部には、反ハンドル側へ向けた凹部が形成されていることを特徴とする請求項２から請求項５のいずれか１項に請求項１に記載の魚釣用リール。
【請求項７】
反ハンドル側の前記外側板は、前記スプール軸の軸心周りに回動させることにより、前記側枠に対して着脱可能に設けられており、
当該外側板の前端部には、前記スプール軸の軸心周りの回動により前記側枠の前端部に係脱可能な係合部が設けられていることを特徴とする請求項１から請求項６のいずれか１項に記載の魚釣用リール。
【発明の詳細な説明】
【技術分野】
【０００１】
本発明は、両軸型の魚釣用リールに関する。
【背景技術】
【０００２】
従来、リール本体のフレームを構成する側枠間にスプールが回転自在に支持された両軸型の魚釣用リールでは、一般的に、リール本体の側枠と反ハンドル側の外側板とが同一平面上で付き合わされて取り付けられている（例えば、特許文献１参照）。
このような魚釣用リールでは、突き合せ部分が全周にわたって平らとなっているので、側枠と外側板との間に隙間が生じ難く組み付け精度を出すことができる。
【０００３】
一方、特許文献２に開示された魚釣用リールでは、リール本体の側枠と反ハンドル側の外側板との突き合せ部分がリール本体の上側において反ハンドル側に膨出しているものが開示されている。
【先行技術文献】
【特許文献】
【０００４】
【特許文献１】特開２０００−１０６７９９号公報
【特許文献２】特開平７−２６４９６０号公報
【発明の概要】
【発明が解決しようとする課題】
【０００５】
ところで、リール本体のフレームを構成する側枠は、精度や剛性が高くなっているので、この部分に対してリール本体の構成要素や機構等を設けることが望ましい。
特許文献１の魚釣用リールでは、前記したように、側枠とこの側枠に取り付けられる外側板との突き合せが同一平面上とされているので、側枠と外側板との間にスペースを確保し難く、側枠に対して構成要素や機構等を設けることに限界があった。
【０００６】
この点、特許文献２の魚釣用リールでは、リール本体の側枠と反ハンドル側の外側板との突き合せ部分がリール本体の上側において反ハンドル側に膨出しているので、その分、側枠と外側板との間にスペースを確保し易い。
しかしながら、リール本体の上側の前後方向に、膨出した部分が長く延設されており、上面視でスプール軸の軸心に交差する位置まで膨出した部分が設けられているので、設計上の無駄となりやすく、その改善が望まれていた。
特に、上面視でスプーの軸に交差する位置まで膨出した部分が設けられているので、一般的な外側板、例えば、スプールのスプール軸の軸心を中心として回動させながら側枠に取り付けられる外側板は、膨出した部分が邪魔になって、うまく取り付けることができず、採用することができない。
また、特許文献２の魚釣用リールでは、膨出した部分が長く延設されているので、その分、無駄な厚みが生じるおそれがあり、また、側枠と外側板との高い寸法精度も要求される。
【０００７】
本発明は、前記問題を解決するためになされたものであり、側枠と外側板との間において側枠に構成要素や機構等を好適に設けることができ、また、外側板の取り付けに支障を来さず、無駄な厚みを無くして側枠と外側板とを高い寸法精度で取り付けることができる魚釣り用リールを提供することを課題とする。
【課題を解決するための手段】
【０００８】
このような課題を解決する本発明の魚釣用リールは、左右の側枠を有するフレームにスプールが回転可能に支持され、前記側枠に外側板が取り付けられてなるリール本体を備えた魚釣用リールであって、前記リール本体の前記側枠と反ハンドル側の前記外側板とは、前記リール本体の竿延在方向における前記スプールのスプール軸の軸心から後側となる後部同士が同一平面上で突き合わされているとともに、前記リール本体の竿延在方向における前記スプール軸の軸心の前方において当該リール本体の鉛直方向の上側となる前側上部同士が、前記同一平面よりも反ハンドル側となる位置で突き合わされていることを特徴とする。
【０００９】
この魚釣用リールによれば、リール本体の竿延在方向におけるスプール軸の軸心の前方においてリール本体の鉛直方向の上側となる前側上部同士が、スプール軸の軸心から後側で後部同士が突き合わされる同一平面よりも反ハンドル側となる位置で突き合わされているので、側枠と外側板との間にスペースを確保し易い。
また、リール本体の竿延在方向におけるスプール軸の軸心から後側となる後部同士が同一平面上で突き合わされているので、スプール軸の軸心を中心として回動させながら側枠に取り付けられる外側板を採用することができ、取り付けの際に、前側上部同士の突き合せ部分が邪魔にならない。
また、リール本体の鉛直方向の上側となる前側上部同士は、リール本体の竿延在方向におけるスプール軸の軸心の前方において突き合わされているので、スプール軸の軸心から後側となる部分に突き合せ部分が延設されているものに比べて、突き合せ部分を小さく構成することができる。
【００１０】
また、本発明の魚釣用リールは、前記側枠の前側上部には、反ハンドル側に向けて湾曲状に膨出した膨出部が形成され、反ハンドル側の前記外側板には、前記膨出部に対応する凹状部が形成されており、前記膨出部と前記凹状部とが相互に当接されることで、前記側枠の前側上部同士が前記同一平面よりも反ハンドル側となる位置で突き合わされており、前記スプール軸に沿う方向において、前記膨出部の膨出幅は、前記スプール軸の軸心から後側における前記側枠の幅よりも幅広とされていることを特徴とする。
【００１１】
この魚釣用リールによれば、膨出部の膨出幅は、スプール軸の軸心から後側における側枠の幅よりも幅広とされているので、膨出部に強度および剛性をもたせることができる。
また、相対的にスプール軸の軸心から後側における側枠の幅が狭いので省スペース化を図ることができる。
【００１２】
また、本発明の魚釣用リールは、前記側枠の前側上部には、サムレストが一体的に設けられていることを特徴とする。また、この場合に、前記サムレストから前記膨出部にわたって曲線状に形成されている構成とするのがよい。
【００１３】
この魚釣用リールによれば、サムレストの高さ位置を低くする、ロープロファイル化が可能である。
また、サムレストから膨出部にわたって曲線状に形成されることで、サムレストから膨出部にわたる広い範囲を指載せ部として利用することができる。また、サムレストから膨出部への指位置の移動、膨出部からサムレストへの指位置の移動をスムーズに行うことができる。
【００１４】
また、本発明の魚釣用リールは、前記膨出部の下方に、前記リール本体の構成要素を配置可能なスペースが形成されていることを特徴とする。
【００１５】
この魚釣用リールによれば、膨出部の下方に形成されるスペースにリール本体の構成要素や機構等を設けることができ、膨出部で上方から構成要素や機構等を覆うことができる。
【００１６】
また、本発明は、前記膨出部のハンドル側となる前記側枠の側部に、反ハンドル側へ向けた凹部が形成されていることを特徴とする。
【００１７】
この魚釣用リールによれば、凹部を利用して膨出部のハンドル側に位置する構成要素や機構等を配置することができる。
【００１８】
また、反ハンドル側の前記外側板は、前記スプール軸の軸心周りに回動させることにより、前記側枠に対して着脱可能に設けられており、当該外側板の前端部には、前記スプール軸の軸心周りの回動により前記側枠の前端部に係脱可能な係合部が設けられていることを特徴とする。
【００１９】
この魚釣用リールによれば、側枠に対して外側板を着脱することができ、着脱時には外側板の前端部に設けられた係合部により、外側板の前端部を側枠の前端部に係脱することができる。
【発明の効果】
【００２０】
本発明によれば、側枠と外側板との間にスペースを確保し易く、側枠に対して構成要素や機構等を好適に設けることができる。ここで、側枠は外側板に比べて剛体であり、また、寸法精度が高く、特に他の機構との相対的な位置関係において精度が高いので、この部分に構成要素や機構等を設けることにより、魚釣用リールの作動精度や品質を高めることができる。
【００２１】
また、スプール軸の軸心を中心として回動させながら側枠に取り付けられる外側板を採用することができるので、外側板の取り付け構造が簡単になり、コストの低減を図ることができる。取り付けの際に、前側上部同士の突き合せ部分が邪魔にならない。
【００２２】
また、前側上部同士は、リール本体の竿延在方向におけるスプール軸の軸心の前方において突き合わされ、スプール軸の軸心から後側となる部分に突き合せ部分が延設されているものに比べて、突き合せ部分を小さく構成することができるので、寸法精度の高い側枠に構成要素や機構等を設けることができる構成でありながら、無駄な厚みを無くして、突き合せ部分の小型化を図ることができ、コストの低減を図ることができる。
また、スプール軸の軸心から後方側の省スペース化を図ることができ、軽量化を図ることができる。
【００２３】
また、膨出部の膨出幅が、スプール軸の軸心から後側における側枠の幅よりも幅広とされている構成では、膨出部に強度および剛性をもたせることができるので、サムレストを好適に接合（一体成形のサムレストを含む）することができ、また、構成要素や機構等を精度良く好適に設けることができる。
また、膨出部を指載せ部として利用することができ、リール操作性が向上する。
【００２４】
さらに、相対的にスプール軸の軸心から後側における側枠の幅が狭く省スペース化を図ることができるので、剛性を有しながらも軽量化された魚釣用リールが得られる。
【００２５】
また、側枠の前側上部にサムレストが一体的に設けられている構成では、ロープロファイル化が可能であるとともに剛性や強度を併せ備えた魚釣用リールが得られる。
さらに、一体的に設けられていることにより、サムレスト上に載置した指への振動伝達が向上されリール操作時のフィーリング（感度）が高まる。
【００２６】
また、サムレストから膨出部にわたって曲線状に形成された構成では、サムレストから膨出部にわたる広い範囲を指載せ部として利用することができ、サムレストから膨出部への指位置の移動、膨出部からサムレストへの指位置の移動をスムーズに行うことができるので、操作性がよく、フィーリング（感度）のよい保持を実現することができる。
さらに、指位置の移動範囲において、部材同士を組み合わせたときのような境界部分（隙間）が生じることがなく、ゴミが付着したり、水分が浸入したりすることもない。したがって、好適な操作感が持続され、長期的に安定した動作で操作することができる魚釣用リールが得られる。
【００２７】
また、膨出部の下方に、リール本体の構成要素を配置可能なスペースが形成されている構成では、膨出部で上方から構成要素や機構等を覆うことができるので、例えば、雨の日の釣行において、仮に、水分が浸入するような事態が生じたとしても、膨出部が庇の役割をなして、その下方に水分が伝うのを防止することができる。
【００２８】
また、膨出部のハンドル側となる側枠の側部に、反ハンドル側へ向けた凹部が形成されている構成では、凹部を利用して膨出部のハンドル側に位置する構成要素や機構等を配置することができるので、レイアウトの自由度を高めることができる。また、魚釣用リールのコンパクト化を図ることもできる。
【００２９】
また、反ハンドル側の外側板が、側枠に対して着脱可能に設けられ、外側板の前端部に、スプール軸の軸心周りの回動により側枠の前端部に係脱可能な係合部が設けられている構成では、外側板の前端部を側枠の前端部に係合して固定することができるので、外側板が取り付け取り外しできる構成でありながら、側枠に対する外側板の前端部の取付剛性を高めることができる。
【００３０】
また、前側上部同士の突き合せ部分が曲線状とされている場合に、これが直線とされている場合に比べて突き合せ部分の寸法精度が低くなるおそれがあるが、係合部によって側枠に対する外側板の前端部の取付剛性を高めることができるので、突き合せ部分に隙間等が生じるのを阻止することができ、組み付け精度を高めることができる。これにより、剛性感を備えた魚釣用リールが得られる。
【図面の簡単な説明】
【００３１】
【図１】（ａ）は本発明の第１実施形態に係る魚釣用リールの正面図、（ｂ）は上面図である。
【図２】（ａ）は本発明の第１実施形態に係る魚釣用リールの内部構造を示す上面図、（ｂ）は膨出部の関係を示した説明図である。
【図３】フレームと外側板とを示す斜視図である。
【図４】フレームを示す図であり、（ａ）は側面図、（ｂ）は上面図、（ｃ）は下面図、（ｄ）は正面図、（ｅ）は後面図、（ｆ）はスプール軸を通る縦断面図、（ｇ）は外側板を取り付けたときの状態を示す後面図である。
【図５】側板を示す図であり、（ａ）は側面図、（ｂ）は上面図、（ｃ）は下面図、（ｄ）は正面図、（ｅ）は後面図、（ｆ）は図５（ａ）のＡ−Ａ線断面図である。
【図６】（ａ）は外側板を取り外した状態の側面図、（ｂ）は外側板の内側の構成を示した側面図である。
【図７】（ａ）は外側板の係止状態を示す側面図、（ｂ）は外側板をずらした状態を示す側面図である。
【図８】（ａ）〜（ｄ）は作用説明図である。
【図９】（ａ）は本発明の第２実施形態に係る魚釣用リールの上面図、（ｂ）は膨出部の関係を示した説明図である。
【図１０】（ａ）はフレームの正面図、（ｂ）はフレームの上面図である。
【図１１】魚釣用リールの斜視図である。
【図１２】フレームと外側板とを示した斜視図である。
【図１３】（ａ）は外側板を取り外した状態の側面図、（ｂ）は外側板の内側の構成を示した側面図である。
【図１４】（ａ）は魚釣用リールの側面図、（ｂ）は外側板をずらした状態を示す側面図である。
【図１５】（ａ），（ｂ）は釣糸巻き取り時における各部の位置関係を示す説明図、（ｃ），（ｄ）は釣糸放出時における各部の位置関係を示す説明図である。
【図１６】サムレストの構造を示した側断面図である。
【発明を実施するための形態】
【００３２】
以下、本発明に係る魚釣用リールの実施形態について図面を参照しながら説明する。なお、以下の説明において、「上下」「前後」「左右」を言うときは、図１に示した方向を基準とする。なお、説明において、同一の要素には同一の符号を用い、重複する説明は省略する。
【００３３】
（第１実施形態）
図１に示すように、魚釣用リールのリール本体１は、左右一対の側枠２ａ，２ｂを複数の支柱２ｃで連結して一体の枠体構造を形成するフレーム２を有し、この側枠２ａ，２ｂのそれぞれの外側に、外側板３ａ，３ｂを取付けてハウジングとして形成され、釣竿取付脚２ｃ１を介して図示しない釣竿に固定される。
ここで、左側の側枠２ａと外側板３ａとの間、右側の側枠２ｂと外側板３ｂとの間には内部空間がそれぞれ形成され、このうち側枠２ａと外側板３ａとの間に形成される内部空間には、リール本体１の構成要素として係止機構２０や遠心ブレーキ装置３０Ａ等が設置されるようになっている。また、右側の側枠２ｂと外側板３ｂとの間に形成される内部空間には、駆動機構１０、クラッチ機構５０、ドラグ機構３５等が設置されるようになっている。
そして、本実施形態では、リール本体１の竿延在方向におけるスプール軸５ｃの軸心Ｏ１の前方（軸心Ｏ１に交差する部分を含まない前側となる部位）においてリール本体１の鉛直方向（図１（ａ）の矢印上下方向）の上側となる前側上部同士が、反ハンドル側（左側、以下同じ）となる膨出された位置にて突き合わされている。
【００３４】
左右の側枠２ａ，２ｂは、複数の支柱２ｃ（図３参照）を介して一体化されており、そのうちの下部に設けられた支柱２ｃには、釣竿のリールシート（不図示）に装着される釣竿取付脚２ｃ１が設けられている。
また、図２（ａ）に示すように、左側の外側板３ａと右側の側枠２ｂ間には、軸受５ａ，５ｂを介してスプール軸５ｃが回転可能に支持されており、このスプール軸５ｃにスプール５が取り付けられている。
【００３５】
フレーム２は、図３に示すように、左右に間隔を空けて配置された側枠２ａ，２ｂと、側枠２ａ，２ｂを連結する複数の支柱２ｃと、側枠２ａ，２ｂの前側上部に架け渡されたサムレスト４と、側枠２ａの前側上部から反ハンドル側（左側）に向けて膨出形成された膨出部４ｂと、を備え、これらが一体的に構成されてなる。
また、側枠２ａ，２ｂの前端部２ａ２，２ｂ２には、フレーム２と別体で形成された前枠２ｄが取り付けられるようになっている。
【００３６】
側枠２ａは、図４（ａ）に示すように、側面視で、前端部２ａ２が前方に向けて上下方向に窄まるように延設された略楕円形状の平板状を呈しており、その周縁に対して外側板３ａ（図３参照）の周縁が突き合わされて取り付けられるようになっている。
側枠２ａは、図４（ｂ）に示すように、リール本体１の竿延在方向におけるスプール軸５ｃの軸心Ｏ１から後側（軸心Ｏ１に交差する部分を含んで後側）となる後部周縁部（後部）２ａ４が、これに対峙する外側板３ａの後部周縁部３ａ４（図３参照）と同一平面上に位置するように平に形成されている。
【００３７】
一方、竿延在方向におけるスプール軸５ｃの軸心Ｏ１の前方となる側枠２ａの前側上部には、図３、図４各図に示すように、膨出部４ｂが形成されている。膨出部４ｂは、図４各図に示すように、反ハンドル側に向けて湾曲状に膨出する湾曲板状を呈しており、図２（ｂ）に示すように、外側縁部４ｂ１が、前記した突き合せ面となる後部周縁部（後部）２ａ４の位置する同一平面よりも反ハンドル側に位置している。
膨出部４ｂの外側縁部４ｂ１は、図４（ｂ）に示すように、上面視で略Ｓ字形状に形成されている。
膨出部４ｂは、図３に示すように、側枠２ａおよびこれに連続するサムレスト４と一体的に設けられており、上面がサムレスト４から続く曲線状とされている。
【００３８】
このような膨出部４ｂは、竿延在方向において釣竿取付脚２ｃ１の中心を通る線Ｏ２（図２（ａ）参照）を基準線として、図２（ｂ）に示すように、この基準線から側枠２ａの内側面２ａ５までの距離をＬ１、後部周縁部２ａ４までの距離をＬ２、膨出部４ｂを構成している第１曲面４ａ１の膨出端までの距離をＬ３、膨出部４ｂ（第２曲面４ａ２）の外側縁部４ｂ１までの距離をＬ４としたときに、Ｌ１＜Ｌ２＜Ｌ３＜Ｌ４の関係となるように設定されている。つまり、膨出部４ｂ（第２曲面４ａ２）の外側縁部４ｂ１は、同一平面となる後部周縁部２ａ４よりも（Ｌ４−Ｌ２）で表される最大寸法分、反ハンドル側となる位置に膨出しており、このように膨出した状態で外側板３ａに突き合わされるようになっている。つまり、膨出部４ｂの膨出幅（Ｌ４−Ｌ１）は、スプール軸５ｃの軸心Ｏ１から後側における側枠２ａの幅（Ｌ２−Ｌ１）よりも幅広とされている。
【００３９】
本実施形態では膨出部４ｂが前記したように湾曲板状を呈しており、図４各図に示すように、後部周縁部２ａ４を含む同一平面から膨出部４ｂのみが反ハンドル側へ膨出（突出）しているので、図６（ａ）に示すように、膨出部４ｂの下方には、側枠２ａの側面との間にリール本体１の構成要素である止めリング６ａ、係止部材６ｂおよび係止ばね６ｃ等を配置可能なスペースＳ１が形成されている。
なお、膨出部４ｂの下面は、湾曲凹状に形成されているので、図６（ａ）に示すように、スペースＳ１において膨出部４ｂの下面内側に入り込むようにして、支持軸６ｄや止めリング６ａ、係止部材６ｂの一部を側枠２ａに配置することができる。
【００４０】
側枠２ａの前端側面には、係合受部４５が設けられている。係合受部４５には、外側板３ａの後記する係合部４０が係脱可能である。
係合受部４５は、図４（ｂ）に示すように、平面視で略Ｌ字形状を呈しており、側枠２ａの前端側面から左側方へ向けて突設された突設部４６と、突設部４６に連続して折り曲げられた折曲部４７とを備えている。そして、折曲部４７の内側部４７ａに、外側板３ａの係合部４０（内側部４２ａ）が係脱可能となっている。
【００４１】
図３、図４（ｂ）に示すように、係合受部４５の下部には、凹溝４８が形成されている。凹溝４８は、側枠２ａの下縁を切欠いて形成されており、スプール軸５ｃの軸心Ｏ１を中心として側枠２ａに外側板３ａを取り付け取り外しする際の、係合部４０の回動軌跡に重なる位置に形成されている。
また、係合受部４５の上方における近傍位置には、前枠２ｄを係止するための係止突部４９が設けられている。
【００４２】
前枠２ｄは、側枠２ａ，２ｂの前端部２ａ２，２ｂ２に掛け渡されるようにして装着され、右端部が側枠２ｂに図示しないねじで固定される。また、前枠２ｄの左端部には、前記した係止突部４９に係止される枠部２ｄ１が設けられており、この枠部２ｄ１を係止突部４９に引っ掛けるようにして、前枠２ｄの左端部が側枠２ａの前端部２ａ２に取り付けられる。
前枠２ｄの左上部には、傾斜部２ｄ３が形成されており、前端部２ａ２に前枠２ｄが取り付けられた状態で、傾斜部２ｄ３が、側枠２ａの膨出部４ｂに接続されるようになっている。これにより、膨出部４ｂから傾斜部２ｄ３にかけて連続した傾斜面が形成され、膨出部４ｂから前枠２ｄにかけて連続した面が形成されるようになっている。
【００４３】
外側板３ａは、図５（ｂ）〜（ｅ）に示すように、リール本体１の竿延在方向におけるスプール軸５ｃの軸心Ｏ１から後側となる後部周縁部３ａ４が、側枠２ａの後部周縁部（後部）２ａ４と同一平面で突き合わされるように平に形成されている。
そして、図３、図５（ｂ）（ｄ）に示すように、外側板３ａには、側枠２ａの膨出部４ｂに対応する位置に凹状部３ｂ１が形成されている。凹状部３ｂ１は、膨出部４ｂに対応する湾曲凹状とされており、側枠２ａに外側板３ａを取り付けた際に、膨出部４ｂに突き合わされるようになっている。
なお、膨出部４ｂと凹状部３ｂ１との突き合せ形状は、図１（ｂ）に示すように、略Ｓ字形状とされている。
本実施形態では、後記するようにしてスプール軸５ｃの軸心Ｏ１を中心として回動させることで、側枠２ａに対して外側板３ａが取り付けられるようになっており、取り付け時の回動により側枠２ａの膨出部４ｂに外側板３ａの凹状部３ｂ１が突き合わされるようになっている。
【００４４】
また、側枠２ａには、図６（ａ）に示すように、開口２ａ３の外周縁に、円周方向に所定の間隔（略９０度間隔）を置いて、外側板３ａの後記する舌片状の係合片３１ｃが係合可能な溝状の係合溝部２ｈ１〜２ｈ４が設けられている。なお、係合溝部２ｈ１、２ｈ４は、必ずしも設けなくてもよい。
【００４５】
外側板３ａの前端内側面には、図３、図５（ｂ）（ｄ）に示すように、係合部４０が設けられている。この係合部４０は側枠２ａの係合受部４５に係脱可能となっており、平面視で略Ｌ字形状（図５（ｂ）参照）を呈している。係合部４０は、外側板３ａの前端内側面から右側方へ向けて突設された突設部４１と、突設部４１に連続して折り曲げられた折曲部４２とを備えている。そして、折曲部４２の内側部４２ａが、側枠２ａの係合受部４５（内側部４７ａ）に係脱可能となっている。
外側板３ａの内側部４２ａは、図５（ｄ）に示すように、上部の角部が面取りされており、側枠２ａの係合受部４５の内側部４７ａに対して係合し易くなっている。
また、係合部４０の下方における外側板３ａの下縁には、側枠２ａの凹溝４８に係合可能な係合突出部４３が設けられている。
【００４６】
また、図６（ｂ）に示すように、外側板３ａのブレーキリング３１ａには、その円筒状の外周縁に側枠２ａの係合溝部２ｈ１〜２ｈ４にそれぞれ係合可能な舌片状の係合片３１ｃが突設されている。これにより、側枠２ａに外側板３ａを取り付ける際には、側枠２ａの側面に外側板３ａを合わせるようにして、スプール軸５ｃの軸心Ｏ１を中心として回動させることで、各係合溝部２ｈ１〜２ｈ４に外側板３ａの係合片３１ｃがそれぞれ係合し、これによって、側枠２ａに脱落不能に外側板３ａが取り付けられることとなる。
【００４７】
ここで、外側板３ａの内面には、係止機構２０が設けられている。係止機構２０は、操作ボタン２１（図７（ａ）参照）と、この操作ボタン２１の操作に連動して揺動する係止部材２２とを備えて構成されている。操作ボタン２１は、樹脂製であり、外側板３ａのボス部３ｃ（図５（ａ）参照）内に図示しないばね部材を介して押し下げ操作可能に収容されている。
【００４８】
係止部材２２は、平板状の金属製の部材であり、側面視で略く字形状を呈している。係止部材２２は、一端部が操作ボタン２１に連結され、他端部が側枠２ａに設けられた受部２ｅ（図６（ａ）参照）に係脱可能とされており、一対の支持腕２５ａ，２５ｂを支点として、外側板３ａに揺動可能に支持されている。
そして、操作ボタン２１を押し下げ操作することにより、係止部材２２が側枠２ａの受部２ｅから外れて、これらの係止状態が解除され、図７（ａ）に示すように、側枠２ａに外側板３ａが取り付けられている状態から、図７（ｂ）に示すように、側枠２ａから外側板３ａを回動させるようにして、外側板３ａの取り外しが可能となる。また、取り付け時には、外側板３ａをスプール軸５ｃの軸心Ｏ１を中心として回動させることで、係止部材２２が受部２ｅに自動的に係止され、側枠２ａに対して外側板３ａが取り付けられる。
【００４９】
スプール５は、ハンドル７を回転操作することによって回転させることができるように構成されており、ハンドル７は、外側板３ｂから突出したハンドル軸７ａの端部に取り付けられて、外側板３ｂとの間に介在された逆転防止機構７ｂ（転がり式一方向クラッチ）によって、釣糸巻き取り方向にのみ回転可能となっている。
なお、スプール軸５ｃを回転可能に支持する軸受５ａは、外側板３ａに設けられた支持部材３１の中央部に配設されている。また、軸受５ｂは、側枠２ｂに配設されている。なお、軸受５ｂは、外側板３ｂに配設してもよい。
【００５０】
スプール軸５ｃの端部には、スプール軸５ｃの過回転を防止して、釣糸放出時のバックラッシュを防止する遠心ブレーキ装置３０Ａが設けられている。この遠心ブレーキ装置３０Ａは、外側板３ａの内側に固定保持されたブレーキリング３１ａと、このブレーキリング３１ａの内周側に形成された図示しない制動面に摺接するブレーキカラー３２とを有する。このブレーキカラー３２は、スプール軸５ｃから半径方向外方に延設した支持杆５ｄに摺動自在に装着されており、スプール軸５ｃが回転したときに作用する遠心力に応じて形成される摩擦力により、スプール５の回転に適度のブレーキ力を作用させるようになっている。
【００５１】
側枠２ｂと外側板３ｂとの間には、前記したように、ハンドル７の回転運動をスプール軸５ｃ、およびレベルワインド機構１５の螺軸１６に伝達する駆動機構１０、駆動力の伝達を継脱するクラッチ機構５０のほか、魚釣時にスプール５から釣糸が繰り出された際に、スプール５にドラグ力を付与するドラグ機構３５等が収容されている。
【００５２】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５７が係合して、ピニオン１２を軸方向に移動させるようになっている。すなわち、ピニオン１２が軸方向に移動することで、スプール軸５ｃとの間で継脱がなされ、動力伝達状態（クラッチＯＮ状態）／動力遮断状態（クラッチＯＦＦ状態）に切り換えられるようになっている。
【００５３】
スプール５の前方において、側枠２ａ，２ｂ間には、レベルワインド機構１５が配置されている。レベルワインド機構１５は、駆動機構１０を介して回転駆動される螺軸１６と、螺軸１６に装着されて左右方向に往復動可能に設けられた釣糸案内体１７と、この釣糸案内体１７に設けられたラインガイド１８とを備えている。
螺軸１６は、側枠２ａ，２ｂ間に回転可能に支持されており、駆動機構１０を介して回転駆動されるようになっている。螺軸１６の端部には、連動歯車１６ａが取り付けられており、この連動歯車１６ａには、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車１６ａを通じて螺軸１６に伝わり、螺軸１６が回転駆動される。
【００５４】
螺軸１６の外周面には、螺旋溝１６ｂが形成され、この螺旋溝１６ｂには、釣糸案内体１７に設けられた図示しない摺動子が係合している。これにより、釣糸案内体１７のラインガイド１８は、螺軸１６が連動歯車１６ａによって回転駆動されることで、螺旋溝１６ｂに係合する図示しない摺動子を介して左右往復動するようになっている。
【００５５】
また、図１（ａ）（ｂ）、図２（ａ）に示すように、側枠２ａ，２ｂ間には、補助操作部６が回動可能に支持されている。補助操作部６は、駆動機構１０の駆動歯車１１（図２（ａ）参照）を介してスプール５（図２（ａ）参照）を補助的に巻き取り操作できるように構成されている。補助操作部６は、側枠２ａ，２ｂ間に回動可能に設けられた駆動軸（図６（ａ）参照）６ｄに固定され、後方斜め上方へ向けて突出するように配置されている。
【００５６】
図６（ａ）に示すように、支持軸６ｄの左端部は、側枠２ａの側方において、膨出部４ｂの下方に露出しており、支持軸６ｄには、止めリング６ａで連結部材６ｃが連結されている。また、連結部材６ｃには、側枠２ａとの間で付勢ばね６ｂが取り付けられており、これによって、補助操作部６は、常時前方向に回動する方向に付勢されている。
【００５７】
なお、図６（ａ）に示すように、付勢ばね６ｂの下方には、レベルワインド機構１５（図２（ａ）参照）の螺軸１６の左端部が露出するようにして支持されており、止めリング１６ｃで係止されている。
【００５８】
次に、側枠２ａから外側板３ａを取り外す際の作用について説明する。
ここで、側枠２ａに外側板３ａが取り付けられた状態では、図７（ａ）に示すように、係止機構２０の係止部材２２が側枠２ａの受部２ｅに係止されているとともに、側枠２ａの係合溝部２ｈ１〜２ｈ４に外側板３ａの係合片３１ｃがそれぞれ係合している。
また、側枠２ａの前端部２ａ２の係合受部４５（内側部４７ａ）に、外側板３ａの係合部４０（内側部４２ａ）が係合し、側枠２ａの前端部２ａ２と外側板３ａの前端部とが噛み合うようにして固定されている。
ここで、図８（ａ）に示すように、係合受部４５に係合部４０が係合した状態で、係合部４０の突設部４１は、係止突部４９に係止されている前枠２ｄの枠部２ｄ１に達しており、この枠部２ｄ１に当接している。したがって、係止突部４９と枠部２ｄ１との係合状態が係合受部４５と係合部４０との係合によって好適に維持されており、側枠２ａに対して前枠２ｄが脱落不能に固定されている。
【００５９】
係止機構２０（図７（ａ）参照）の操作ボタン２１を操作して、外側板３ａをスプール軸５ｃ（図２（ａ）参照）の軸心Ｏ１を中心として回動させると、図８（ｂ）に示すように、係合受部４５に対して係合部４０が外れる方向に移動するとともに、係止突部４９と枠部２ｄ１との係合状態が解除可能状態にされ、さらに、側枠２ａの凹溝４８から外側板３ａの係合突出部４３が外れて、係合部４０の突設部４１が妨げられることなく凹溝４８内に侵入する。
ここで、側枠２ａは、リール本体１の竿延在方向におけるスプール軸５ｃの軸心Ｏ１から後側となる後部周縁部（後部）２ａ４が、これに対峙する外側板３ａの後部周縁部３ａ４（図３参照）と同一平面上に位置するように平に形成されているので、スプール軸５ｃの軸心Ｏ１を中心として回動させながら外側板３ａを取り外すことができる。
【００６０】
その後、さらに外側板３ａを回動させると、図８（ｃ）に示すように、係合受部４５から係合部４０が外れ、係止突部４９と枠部２ｄ１との係合状態が解除される。これとともに、係合部４０が、側枠２ａの凹溝４８内を通過する。
【００６１】
そして、さらに外側板３ａを回動させると、図８（ｄ）に示すように、係合部４０が側枠２ａの凹溝４８から外れる位置まで回動し、これとともに、外側板３ａの舌片状の係合片３１ｃ（図６（ｂ）参照）が側枠２ａの係合溝部２ｈ１〜２ｈ４（図６（ａ）参照）からそれぞれ外れる状態となり、側枠２ａから外側板３ａが取り外し可能となる。
なお、外側板３ａを側枠２ａに取り付ける際には、前記した回動操作と逆の方向に外側板３ａを回動操作することで、側枠２ａに取り付けることができる。
【００６２】
以上説明した本実施形態の魚釣用リールによれば、リール本体１の竿延在方向におけるスプール軸５ｃの軸心Ｏ１の前方において、側枠２ａと外側板３ａとの前側上部同士（膨出部４ｂ、凹状部３ｂ１）が、スプール軸５ｃの軸心Ｏ１から後側の突合せ面である同一平面よりも反ハンドル側となる位置で突き合わされているので、側枠２ａと外側板３ａとの間にスペースを確保し易い。
これにより、側枠２ａに対して構成要素や機構等（止めリング６ａ、係止部材６ｂ、係止ばね６ｃ等）を好適に設けることができる。ここで、側枠２ａは外側板３ａに比べて剛体であり、また、寸法精度が高く、特に他の機構との相対的な位置関係において精度が高いので、この部分に構成要素や機構等を設けることにより、魚釣用リールの作動精度や品質を高めることができる。
【００６３】
また、リール本体１の竿延在方向におけるスプール軸５ｃの軸心Ｏ１から後側となる後部同士が同一平面上で突き合わされているので、スプール軸５ｃの軸心Ｏ１を中心として回動させながら側枠２ａに取り付けられる外側板３ａを採用することができ、取り付けの際に、前側上部同士の突き合せ部分が邪魔にならない。
【００６４】
また、前側上部同士は、リール本体１の竿延在方向におけるスプール軸５ｃの軸心Ｏ１の前方において突き合わされているので、スプール軸５ｃの軸心Ｏ１から後側となる部分に突き合せ部分が延設されているものに比べて、突き合せ部分を小さく構成することができる。したがって、寸法精度の高い側枠２ａに構成要素や機構等を設けることができる構成でありながら、突き合せ部分の小型化を図ることができ、コストの低減を図ることができる。
また、スプール軸５ｃの軸心Ｏ１から後方側の省スペース化を図ることができ、軽量化を図ることができる。
【００６５】
また、膨出部４ｂの膨出幅は、スプール軸５ｃの軸心Ｏ１から後側における側枠２ａの幅よりも幅広とされているので、膨出部４ｂに強度および剛性をもたせることができる。これにより、サムレスト４を好適に接合することができ、また、構成要素や機構等を精度良く好適に設けることができる。
さらに、膨出部４ｂを指載せ部として利用することができ、リール操作性が向上する。
また、相対的にスプール軸５ｃの軸心Ｏ１から後側における側枠２ａの幅が狭いので省スペース化を図ることができる。これにより、剛性を有しながらも軽量化された魚釣用リールが得られる。
【００６６】
さらに、側枠２ａの前側上部にサムレスト４が一体的に設けられているので、ロープロファイル化が可能であるとともに剛性や強度を併せ備えた魚釣用リールが得られる。
また、一体的に設けられていることにより、サムレスト４上に載置した指への振動伝達が向上されリール操作時のフィーリング（感度）が高まる。
【００６７】
また、サムレスト４から膨出部４ｂにわたって、上面が曲線状に形成されているので、サムレスト４から膨出部４ｂにわたる広い範囲を指載せ部として利用することができ、サムレスト４から膨出部４ｂへの指位置の移動、膨出部４ｂからサムレスト４への指位置の移動をスムーズに行うことができるので、操作性がよく、フィーリング（感度）のよい保持を実現することができる。
さらに、指位置の移動範囲において、部材同士を組み合わせたときのような境界部分（隙間）が生じることがなく、ゴミが付着したり、水分が浸入したりすることもない。したがって、好適な操作感が持続され、長期的に安定した動作で操作することができる魚釣用リールが得られる。
【００６８】
また、膨出部４ｂの下方に、リール本体１の構成要素を配置可能なスペースＳ１が形成されている構成では、膨出部４ｂで上方から構成要素や機構等を覆うことができるので、例えば、雨の日の釣行において、仮に、水分が浸入するような事態が生じたとしても、膨出部４ｂが庇の役割をなして、その下方に水分が伝うのを防止することができる。
【００６９】
また、係合部４０と係合受部４５との係合により外側板３ａの前端部を側枠２ａの前端部２ａ２に固定することができるので、外側板３ａが取り付け取り外しできる構成でありながら、側枠２ａに対する外側板３ａの前端部の取付剛性を高めることができる。
【００７０】
また、前側上部同士の突き合せ部分が曲線状（略Ｓ字形状）とされているので、これが直線とされている場合に比べて突き合せ部分の寸法精度が低くなるおそれがあるが、係合部４０と係合受部４５との係合によって側枠２ａに対する外側板３ａの前端部の取付剛性を高めることができるので、突き合せ部分に隙間等が生じるのを阻止することができ、組み付け精度を高めることができる。これにより、剛性感を備えた魚釣用リールが得られる。
【００７１】
（第２実施形態）
図９〜図１６を参照して第２実施形態の魚釣用リールについて説明する。
本実施形態の魚釣用リールが前記第１実施形態と異なるところは、リール本体１の上部の側枠２ａ，２ｂ間に設けられたサムレスト６０が、クラッチレバー５３の切り換え操作に連動して上下方向に移動可能に設けられているとともに、サムレスト６０の前部が左右方向に幅広に形成されている点である。
【００７２】
サムレスト６０は、図９（ａ）に示すように、左側前部６０ａおよび右側前部６０ｂが左右方向に幅広に形成されて左右方向にそれぞれ膨出しており、これに対応するように、側枠２ａ，２ｂの前側上部（膨出部４ｂ）が左右方向に膨出して、外側縁部４ｂ１が、突き合せ面となる後部周縁部（後部）２ａ４の位置する同一平面よりも反ハンドル側に位置している。
そして、側枠２ａ，２ｂの前側上部における内側部２ａ６，２ｂ６が側枠２ａ，２ｂ膨出方向に向けてそれぞれ凹状に形成されている。
【００７３】
この内側部２ａ６，２ｂ６を利用して、図１０（ａ）（ｂ）に示すように、側枠２ａ，２ｂの内側には、収容部２ａ１，２ｂ１が形成されている。この収容部２ａ１，２ｂ１には、図１１に示すように、略三角形状の挿通孔２ｐ１，２ｐ２がそれぞれ形成されており、これに対応するようにして、外側板３ａ，３ｂにも挿通窓３ｐ１，３ｐ２が形成されている。
本実施形態では、これらの挿通孔２ｐ１，２ｐ２、挿通窓３ｐ１，３ｐ２が左右方向に幅広とされたラインガイド２３の、左右移動時における収容スペースとして機能するようになっている。
【００７４】
そして、前側上部は、竿延在方向において釣竿取付脚２ｃ１の中心を通る線（不図示）を基準線として、図９（ｂ）に示すように、この基準線から側枠２ａの内側面２ａ５までの距離をＬ１１、後部周縁部２ａ４までの距離をＬ１２、内側部２ａ６までの距離をＬ１３、第１曲面４ａ１の膨出端（外周縁部４ｂ１）までの距離をＬ１４としたときに、Ｌ１１＜Ｌ１２＜Ｌ１３＜Ｌ１４の関係となるように設定されている。つまり、膨出部４ｂの第１曲面４ａ１は、同一平面となる後部周縁部２ａ４よりも（Ｌ１４−Ｌ１２）で表される最大寸法分、反ハンドル側となる位置に膨出しており、このように膨出した状態で外側板３ａに突き合わされるようになっている。
そして、サムレスト６０から膨出部４ｂの突き合せ部にかけて、上面がサムレスト６０から続く曲線状とされている。
【００７５】
また、側枠２ａの前端側面には、係合受部４５が設けられている。係合受部４５には、外側板３ａの係合部４０が係脱可能である。
図１３（ａ）に示すように、係合受部４５の下部には、凹溝４８ａが形成されている。凹溝４８ａは、側枠２ａの下縁を切欠いて形成されており、スプール軸５ｃの軸心Ｏ１を中心として側枠２ａに外側板３ａを取り付け取り外しする際の、係合部４０および外側板３ａの前端下縁部４３ａの回動軌跡に重なる位置に形成されている。
【００７６】
外側板３ａは、図９（ａ）、図１０（ｂ）に示すように、リール本体１の竿延在方向におけるスプール軸５ｃの軸心Ｏ１から後側となる後部周縁部３ａ４が、側枠２ａの後部周縁部（後部）２ａ４と同一平面で突き合わされるように平に形成されている。
そして、外側板３ａには、図１２にも示すように、側枠２ａの膨出部４ｂに対応する位置に凹状部３ｂ１が形成されている。凹状部３ｂ１は、膨出部４ｂに対応する湾曲凹状とされており、側枠２ａに外側板３ａを取り付けた際に、膨出部４ｂに突き合わされるようになっている。
なお、膨出部４ｂと凹状部３ｂ１との突き合せ形状は、図１（ｂ）に示すように、略Ｓ字形状とされている。
本実施形態においても、スプール軸５ｃの軸心Ｏ１を中心として回動させることで、側枠２ａに対して外側板３ａが取り付けられるようになっており、取り付け時の回動により側枠２ａの膨出部４ｂに外側板３ａの凹状部３ｂ１が突き合わされるようになっている。
【００７７】
また、側枠２ａには、図１３（ａ）に示すように、開口２ａ３の外周縁に、円周方向に不均一な間隔を空けて、外側板３ａの係合片３１ｃが係合可能な溝状の係合溝部２ｈ１〜２ｈ３が設けられている。
側枠２ａの前端上部には、略三角形状の挿通孔２ｐ１が形成されている。また、側枠２ｂの前端上部にも、略三角形状の挿通孔２ｐ２が形成されている。
【００７８】
外側板３ａの前端内側面には、図１２、図１３（ｂ）に示すように、側枠２ａの係合受部４５に係脱可能な係合部４０が設けられている。
外側板３ａの前端上部には、略三角形状の挿通窓３ｐ１が形成されている。また、外側板３ｂの前端上部にも、略三角形状の挿通窓３ｐ２が形成されている。
なお、図１４（ａ）に示すように、外側板３ａの外側面には、前後方向に延びる窓３ｅが開口しており、窓３ｅ内には、挿通窓３ｐ１や制動装置３０Ｂの制動力を調節する調節つまみ３６が配置されている。
【００７９】
このような外側板３ａは、操作ボタン２１を押し下げ操作することにより、係止部材２２が側枠２ａの受部２ｅから外れて、これらの係止状態が解除され、図１４（ａ）に示すように、側枠２ａに外側板３ａが取り付けられている状態から、図１４（ｂ）に示すように、側枠２ａから外側板３ａを回動させるようにして、外側板３ａの取り外しが可能となる。また、取り付け時には、外側板３ａをスプール軸５ｃの軸心Ｏ１を中心として回動させることで、係止部材２２が受部２ｅに自動的に係止され、側枠２ａに対して外側板３ａが取り付けられる。
【００８０】
サムレスト６０は、図１５（ａ）に示すように、ラインガイド２３を覆うように前方へ向けて延設されている。サムレスト６０の下面には、支持部６１を介してピラー６３が回転可能に支持されている。ピラー６３は、円柱状の部材であり、サムレスト６０を閉じた状態（先端を下方向へ回動してピラー６３を移動させた状態）で、ラインガイド２３の後方の近傍位置に配置されるようになっており、その位置で釣糸を押し下げて、釣糸案内溝２４ｄに釣糸を誘導するように構成されている。
【００８１】
サムレスト６０の前端部６０ｄと前枠２ｄとの間には、サムレスト６０を閉じた状態で、図９（ａ）にも示すように、釣糸挿通用の開口６０ｃが形成されており、釣糸巻き取り時における釣糸の挿通が可能となっている。
サムレスト６０の後部側には、クラッチレバー５３が連結されている。クラッチレバー５３は、サムレスト６０と一体成形部材であってもよいし、別体であってもよい。
【００８２】
図１６に示すように、クラッチ機構５０のクラッチ駆動部材５１は、公知のように、側枠２ｂに対して回動可能に支持され、振分けバネ５６によって、動力伝達状態（クラッチＯＮ状態）と、動力遮断状態（クラッチＯＦＦ状態）とに振分け保持されるようになっている。また、クラッチ駆動部材５１の表面には、ピニオン１２（図２（ａ）参照、図２（ａ）と同様）の円周溝１２ａ（図２（ａ）参照、図２（ａ）と同様）に嵌合したヨーク５７と係合可能な一対のカム面５８，５８が形成されている。
【００８３】
ヨーク５７の先端側は、側枠２ｂに突設された支持ピン５９，５９によって保持されており、ヨーク５７は、各支持ピン５９，５９に配設されたバネ部材（図示せず）によって常時、クラッチ駆動部材５１側に付勢された状態となっている。
サムレスト６０の中央部の下部には、円環部６４が一体的に設けられている。この円環部６４は、側枠２ａ，２ｂの内側に設けられた、スプール軸５ｃと同芯円環状の突設部（不図示）に対して外嵌可能であり、外嵌されることでサムレスト６０は、スプール軸５ｃの軸心Ｏ１周りに回動可能に取り付けられ、クラッチレバー５３の切り換え操作に連動して（先端部側が）上下方向に移動可能に設けられている。
【００８４】
そして、スプール５に対する釣糸の巻き取りを可能にするクラッチＯＮ状態にクラッチレバー５３を切り換え操作することにより、サムレスト６０が下方向へ移動し（図１５（ａ）参照）、この移動によりピラー６３が移動して、釣糸挿通孔２４の下部内面中央部の釣糸案内溝２４ｄに釣糸が保持される（図１５（ｂ）参照）。
また、スプール５からの釣糸放出を可能にするクラッチＯＦＦ状態にクラッチレバー５３を切り換え操作することにより、サムレスト６０が上方向へ移動し（図１５（ｃ）参照）、この移動によりピラー６３も移動して、釣糸挿通孔２４の下部内面２４ｃの中央部の釣糸案内溝２４ｄから釣糸が離れる（図１５（ｄ）参照）。
【００８５】
釣糸案内体１７の上部には、釣糸を案内するためのラインガイド２３が設けられている。
ラインガイド２３は、図１５（ｂ）に示すように、前方から見て、左右方向に横長形状とされており、釣糸挿通孔２４が形成されている。釣糸挿通孔２４の下部内面中央部には、釣糸巻き取り時に釣糸を保持する釣糸案内溝２４ｄが形成されている。釣糸案内溝２４ｄは、下部内面２４ｃの中央部から下方へ向けて湾曲凹状に切り欠かれた溝であり、図１５（ａ）に示すように、釣糸挿通孔２４内において前後方向に延設されている。釣糸案内溝２４ｄ内には、クラッチレバー５３の操作時に、下方へ向けて移動してきたピラー６３によって誘導されてきた釣糸が挿入されるようになっている（図１５（ａ）（ｂ）参照）。
【００８６】
このようなラインガイド２３は、側枠２ａ，２ｂに形成された収容部２ａ１，２ｂ１の挿通孔２ｐ１，２ｐ２に対して、左端部および右端部をそれぞれ収容するようにして往復動可能である。なお、外側板３ａ，３ｂに形成された挿通窓３ｐ１，３ｐ２にラインガイド２３の左端部および右端部をそれぞれ収容するようにして往復動させることもできる。このような往復動により、スプール５の左右に釣糸が均等に振分けられ、スプール５に釣糸が均一かつ平行（平坦）に巻き取られる。これにより、スムーズな釣糸の放出が可能でありながら、スムーズな釣糸の巻き取りを実現することができる。
【００８７】
また、サムレスト６０で覆われる空間内においてラインガイド２３を左右方向に往復動させることができるので、サムレスト６０でラインガイド２３を保護することができる。
また、例えば、サムレスト６０を回動等によってさらに大きく開閉可能に設けることで、サムレスト６０を開くことにより収容部２ａ１，２ｂ１を開放することができ、メンテナンス性の向上を図ることができる。
【００８８】
なお、サムレスト６０とピラー６３とが一緒に移動するので、サムレスト６０がピラー６３の移動に邪魔にならず、ピラー６３の上下方向の移動量を大きく設定することができ、ラインガイド２３を上下方向（高さ方向）に大きく形成することも可能である。これによって、釣糸放出時に釣糸挿通孔２４の内面と釣糸との放出抵抗（接触抵抗）が小さくなる。これによって、スムーズな釣糸の放出を実現することができる。
また、ピラー６３を下方向に移動させたときには、サムレスト６０も下がるので、違和感なくパーミング（把持）しながら、釣糸の巻き取り操作を行うことができ、操作性に優れる。
【００８９】
以上説明した本実施形態の魚釣用リールによれば、膨出部４ｂのハンドル側となる側枠２ａの内側部、またこれとは反対側となる側枠２ｂの反ハンドル側となる内側部に、収容部（凹部）２ａ１，２ｂ１が形成されているので、この収容部２ａ１，２ｂ１を利用してラインガイド２３の左端部および右端部を収容することができる。また、その他の構成要素や機構等を配置することもできる。
したがって、レイアウトの自由度を高めることができる。また、魚釣用リールのコンパクト化を図ることもできる。
【００９０】
また、反ハンドル側の外側板３ａが、側枠２ａに対して着脱可能に設けられ、外側板３ａの前端部に、スプール軸５ｃの軸心Ｏ１周りの回動により側枠２ａの前端部に係脱可能な係合部４０が設けられているので、外側板３ａの前端部を側枠２ａの前端部２ａ２に係合して固定することができるので、外側板３ａがその前端上部に挿通窓３ｐ１が設けられ、さらに側枠２ａに対して取り付け取り外しできる構成でありながら、側枠２ａに対する外側板の前端部の取付剛性を高めることができる。
【００９１】
なお、前側上部同士の突き合せ形状は、略Ｓ字形状とされたものに限られることはなく、膨出、凹状を複数含む曲線状であってもよいし、部分的に直線部分を含んだ形状であってもよい。
【００９２】
また、係合部４０と係合受部４５とは、略Ｌ字形状であるものを示したが、これに限られることはなく、鉤形形状等、種々の形状による係合構造のものを採用することができる。
【符号の説明】
【００９３】
１      リール本体                ４ｂ    膨出部
２      フレーム                  ５      スプール
２ａ，２ｂ    側枠                ５ｃ    スプール軸
３ａ    外側板                    ４０    係合部
４      サムレスト                Ｓ１    スペース
Ｏ１    軸心
【図１】
0005427166.tif 000002
【図２】
0005427166.tif 000003
【図３】
0005427166.tif 000004
【図４】
0005427166.tif 000005
【図５】
0005427166.tif 000006
【図６】
0005427166.tif 000007
【図７】
0005427166.tif 000008
【図８】
0005427166.tif 000009
【図９】
0005427166.tif 000010
【図１０】
0005427166.tif 000011
【図１１】
0005427166.tif 000012
【図１２】
0005427166.tif 000013
【図１３】
0005427166.tif 000014
【図１４】
0005427166.tif 000015
【図１５】
0005427166.tif 000016
【図１６】
0005427166.tif 000017